(57)【要約】【課題】  トレイを最前進位置で停止させたときの衝撃を緩和すること。【解決手段】  ディスク載置用トレイ１を支持するローダーシャーシ２の前端板２ａに立設した支軸３に駆動ピニオン４が正逆回転可能に外嵌され、トレイ１の下面に一体突設したトレイラック５が駆動ピニオン４に噛合可能に形成され、該駆動ピニオン４と前端板２ａとの間に隙間αを形成することによりその駆動ピニオン４が支軸３に一定範囲内昇降可能に外嵌され、駆動ピニオン４を上方に付勢するばね３６が前記隙間αに介在され、前記駆動ピニオン４及びトレイラック５の歯部４ａ，５ａがハス歯状に形成されており、駆動ピニオン４を正転させトレイ１の各フックを各ストッパに当接させて該トレイ１を最前進ａ位置で停止させた状態で、該駆動ピニオン４がトレイラック５の歯部５ａに沿って正転しながら降下されてばね３６を圧縮する。【選択図】        図１
2008181605.tif 000002
【特許請求の範囲】
【請求項１】
ディスク載置用トレイがローダーシャーシに前後進可能に配置され、該ローダーシャー
シの前端板に立設した支軸に駆動ピニオンが正逆回転可能に外嵌され、前記トレイの下面
に前後進方向に沿って一体突設したトレイラックが前記駆動ピニオンに噛合可能に形成さ
れ、ターンテーブルと光ピックアップとを搭載したトラバースシャーシがローダーシャー
シ内に上下動可能に配置され、前記トレイの両側面後端にフックが一体突設されると共に
、該各フックに対向してローダーシャーシの前部に一対のストッパが設けられており、プ
レイモードで、トラバースシャーシを上動させて水平姿勢にすることによりターンテーブ
ルでトレイ上のディスクを持ち上げ、そのターンテーブルによりディスクを高速回転させ
、該ディスクに記録されている情報を光ピックアップで読み取り、トレイオープン時に、
トラバースシャーシを下動させて傾斜姿勢にすることによりターンテーブルからトレイに
ディスクを移し替え、タイマー制御で駆動ピニオンを所定時間だけ正転させて該駆動ピニ
オンに噛合するトレイラックを介してトレイを前進させ、該トレイの各フックを各ストッ
パに当接させることによりそのトレイを最前進位置で停止させるようにしたディスク装置
において、前記ローダーシャーシの前端板に前記支軸と同心状の環状溝が形成され、前記
駆動ピニオンとローダーシャーシの前端板との間に隙間を形成することにより該駆動ピニ
オンが前記支軸に一定範囲内昇降可能に外嵌され、その駆動ピニオンを上方に付勢するば
ねが前記隙間に介在されてその下端が前記環状溝に嵌入され、前記駆動ピニオン及びトレ
イラックの歯部がハス歯状に形成され、その歯部の傾斜角度が３５°〜５５°（好ましく
は４０°〜５０°）に設定されており、駆動ピニオンを正転させトレイの各フックを各ス
トッパに当接させて該トレイを最前進位置で停止させた状態で、該駆動ピニオンがトレイ
ラックの歯部に沿って正転しながら降下されてばねを圧縮することを特徴とするディスク
装置。
【請求項２】
ディスク載置用トレイがローダーシャーシに前後進可能に配置され、該ローダーシャー
シの前端板に立設した支軸に駆動ピニオンが正逆回転可能に外嵌され、前記トレイの下面
に前後進方向に沿って一体突設したトレイラックが前記駆動ピニオンに噛合可能に形成さ
れ、ターンテーブルと光ピックアップとを搭載したトラバースシャーシがローダーシャー
シ内に上下動可能に配置され、前記トレイの両側面後端にフックが一体突設されると共に
、該各フックに対向してローダーシャーシの前部に一対のストッパが設けられており、プ
レイモードで、トラバースシャーシを上動させて水平姿勢にすることによりターンテーブ
ルでトレイ上のディスクを持ち上げ、そのターンテーブルによりディスクを高速回転させ
、該ディスクに記録されている情報を光ピックアップで読み取り、トレイオープン時に、
トラバースシャーシを下動させて傾斜姿勢にすることによりターンテーブルからトレイに
ディスクを移し替え、タイマー制御で駆動ピニオンを所定時間だけ正転させて該駆動ピニ
オンに噛合するトレイラックを介してトレイを前進させ、該トレイの各フックを各ストッ
パに当接させることによりそのトレイを最前進位置で停止させるようにしたディスク装置
において、前記駆動ピニオンとローダーシャーシの前端板との間に隙間を形成することに
より該駆動ピニオンが前記支軸に一定範囲内昇降可能に外嵌され、その駆動ピニオンを上
方に付勢するばねが前記隙間に介在され、前記駆動ピニオン及びトレイラックの歯部がハ
ス歯状に形成されており、駆動ピニオンを正転させトレイの各フックを各ストッパに当接
させて該トレイを最前進位置で停止させた状態で、該駆動ピニオンがトレイラックの歯部
に沿って正転しながら降下されてばねを圧縮することを特徴とするディスク装置。
【請求項３】
前記駆動ピニオン及びトレイラックの歯部の傾斜角度が３５°〜５５°（好ましくは４
０°〜５０°）に設定されていることを特徴とする請求項２に記載のディスク装置。
【請求項４】
前記ローダーシャーシの前端板に前記支軸と同心状で前記ばねとほぼ同径の環状溝が形
成され、該環状溝に前記ばねの下端を嵌入させていることを特徴とする請求項２または３
に記載のディスク装置。
【発明の詳細な説明】
【技術分野】
【０００１】
本発明は、例えばＤＶＤプレーヤやＤＶＤレコーダなどのディスク装置に関し、特に、
トレイを最前進位置で停止させたときの衝撃を緩和するようにものである。
【背景技術】
【０００２】
ディスク装置の一例として図４〜図６に示すものがあり、これはＤＶＤプレーヤであっ
て、図４は同プレイモードにおける平面図、図５は同縦断面図、図６は同トレイオープン
時の平面図である。
【０００３】
図４及び図５に示すように、ディスクＤ載置用トレイ１がローダーシャーシ２に前後進
ａ，ｂ可能に配置され、該ローダーシャーシ２の前端板２ａに立設した支軸３に駆動ピニ
オン４が正逆回転ｃ，ｄ可能に外嵌され、前記トレイ１の下面に一体突設したトレイラッ
ク５が前記駆動ピニオン４に噛合可能に形成され、該駆動ピニオン４の下部にウォームホ
イール６が一体形成され、ローディングモータ７により正逆回転されるウォームギヤ８が
前記ウォームホイール６に噛合されている。
【０００４】
図５に示すように、ローダーシャーシ２内に配置したトラバースシャーシ１０の後部が
ゴムからなる後側弾性体１１を介してローダーシャーシ２に上下動ｅ，ｆ可能に連結され
、そのトラバースシャーシ１０の前部がゴムからなる前側弾性体１２を介して昇降体１３
に連結されている。
【０００５】
図４〜図６に示すように、ローダーシャーシ２の前端板２ａに縦断面略Ｔ字状カムスラ
イダ１５が前後進ａ，ｂ方向とは直交する左右方向ｇ，ｈに沿ってスライド可能に配置さ
れ、該カムスライダ１５の垂直部に形成した一対のカム溝１６ａと、前記昇降体１３の前
面に一体突設され前端板２ａの縦溝１７を通って各カム溝１６ａに嵌入する一対のカムピ
ン１６ｂとからなるカム機構１６によりカムスライダ１５と昇降体１３とが連動連結され
、また、カムスライダ１５の一端に一体形成したカムラック１８が駆動ピニオン４に噛合
可能に形成され、更に、カムスライダ１５の水平部に一対のガイドピン１９が一体突設さ
れ、該各ガイドピン１９に対向してトレイ１の下面前部に一対のガイド溝２０が形成され
ている。
【０００６】
図４及び図５に示すように、前記トラバースシャーシ１０の前部にターンテーブル２２
付きスピンドルモータ２３が配置されると共に、該トラバースシャーシ１０の中央部に対
物レンズＯＬ付き光ピックアップ２４がディスクＤの半径方向に沿って移動可能に配置さ
れ、該光ピックアップ２４がラック・ピニオン２５を介してフィードモータ（図示せず）
に連動連結されている。
【０００７】
図４に示すように、前記トレイ１の両側面後端にフック２６が一体突設されると共に、
該各フック２６に対向してローダーシャーシ２の両側板２ｂの前端から後方へ延びる弾性
変位可能なストッパ２７が設けられている。また、図５に示すように、ローダーシャーシ
２の両側板２ｂ間に架設した横桁２９の中央貫通孔２９ａにクランパ３０が一定範囲内昇
降可能に嵌合されている。なお、３１はトレイ１の中央に開設した中央開口部である。
【０００８】
プレイモードでは、図４及び図５の実線で示すように、トレイ１が後進ｂしてローダー
シャーシ２内に収納されると共に、カムスライダ１５が矢印ｇ方向にスライドされ、カム
機構１６により昇降体１３が上昇され、トラバースシャーシ１０を上動ｅさせて水平姿勢
にすることによりターンテーブル２２でトレイ１上のディスクＤを持ち上げ、該ディスク
Ｄがターンテーブル２２とクランパ３０とでクランプされる。続いて、スピンドルモータ
２３によりターンテーブル２２を介してディスクＤを高速回転させ、該ディスクＤに記録
されている情報を光ピックアップ２４で読み取る。
【０００９】
トレイオープン時には、図５の仮想線及び図６に示すように、フィードモータ（図示せ
ず）によりラック・ピニオン２５を介して光ピックアップ２４をディスクＤの中心に向け
て最前進させ、それに連動するトリガー機構（図示せず）によりカムスライダ１５を矢印
ｈ方向に少しだけスライドさせ、カムラック１８を駆動ピニオン４に噛合させる。その後
、ローディングモータ７をタイマー制御で一定時間（例えば２〜５秒）だけ駆動すること
により、ウォームギヤ８及びウォームホイール６を介して駆動ピニオン４を正転ｃさせ、
カムスライダ１５を矢印ｈ方向にスライドさせる。これにより、カム機構１６及び昇降体
１３を介してトラバースシャーシ１０を下動ｆさせて傾斜姿勢にすることによりターンテ
ーブル２２からトレイ１にディスクＤを移し替える。
【００１０】
続いて、各ガイドピン１９により各ガイド溝２０の傾斜面２０ａが押されてトレイ１が
わずかに前進ａされ、トレイラック５の前端が駆動ピニオン４に噛合され、それとほぼ同
時に、カムラック１８が駆動ピニオン４から離脱し、該駆動ピニオン４の正転ｃによりト
レイラック５を介してトレイ１を前進ａさせ、該トレイ１の各フック２６を各ストッパ２
７に当接させることにより、そのトレイ１を最前進ａ位置で停止させる。トレイイン時に
は、上記とは逆の手順で操作が行われる。
【００１１】
図７及び図８は従来例を示すものであって、図７（ａ）は同要部の拡大横断面図、図７
（ｂ）はＢ−Ｂ矢視図、図８は同要部の分解斜視図である。
【００１２】
図７に示すように、前記支軸３が、円柱状支軸本体３ａと、該支軸本体３ａの上下両端
に同心状に一体形成した頭部３ｂ及び雄ねじ部３ｃとからなり、その支軸３を駆動ピニオ
ン４の小径部３３ａと大径部３３ｂとからなる中心孔３３に挿通して雄ねじ部３ｃを前端
板２ａのねじ孔３４にねじ込み、頭部３ｂを小径部３３ａと大径部３３ｂとの間の段部３
３ｃに当接または接近させることにより、駆動ピニオン４が前端板２ａ上に位置決めされ
ており、その駆動ピニオン４が支軸３に沿って昇降されないようにしている。
【００１３】
図７及び図８に示すように、駆動ピニオン４及びトレイラック５の歯部４ａ，５ａと、
カムラック１８の歯部１８ａとが平歯車状に形成されている。なお、関連する技術として
特許文献１に記載したものがある。
【特許文献１】特開２００４−３４８７８２号公報
【発明の開示】
【発明が解決しようとする課題】
【００１４】
上記従来の構成では、トレイオープン時に、タイマー制御により駆動ピニオン４を一定
時間（例えば２〜５秒）だけ正転ｃさせ、トレイ１の各フック２６を各ストッパ２７に当
接させて該トレイ１を最前進ａ位置で停止させた後でも、わずかの時間（例えば０．１〜
０．５秒）であるが駆動ピニオン４の駆動を継続しており、その時、駆動ピニオン４及び
トレイラック５の歯部４ａ，５ａが平歯車状に形成されて、該駆動ピニオン４が回転され
ないので、その駆動ピニオン４の駆動力がトレイオープン毎に各ストッパ２７に衝撃的に
繰り返しかかる。このため、不快な衝突音が発生すると共に、各ストッパ２７の根元部が
過負荷により損傷され、トレイ１を最前進ａ位置で所定通りに停止させることが困難にな
ったり、駆動ピニオン４のボス部４ｂ（図７参照）などの駆動伝達系部品が過負荷により
損傷されるおそれがある。
【００１５】
本発明は、上記従来の欠点に鑑み、トレイを最前進位置で停止させたときの衝撃を緩和
するようにしたディスク装置を提供することを目的としている。
【課題を解決するための手段】
【００１６】
上記目的を達成するため、請求項１に記載の発明は、ディスク載置用トレイがローダー
シャーシに前後進可能に配置され、該ローダーシャーシの前端板に立設した支軸に駆動ピ
ニオンが正逆回転可能に外嵌され、前記トレイの下面に前後進方向に沿って一体突設した
トレイラックが前記駆動ピニオンに噛合可能に形成され、ターンテーブルと光ピックアッ
プとを搭載したトラバースシャーシがローダーシャーシ内に上下動可能に配置され、前記
トレイの両側面後端にフックが一体突設されると共に、該各フックに対向してローダーシ
ャーシの前部に一対のストッパが設けられており、プレイモードで、トラバースシャーシ
を上動させて水平姿勢にすることによりターンテーブルでトレイ上のディスクを持ち上げ
、そのターンテーブルによりディスクを高速回転させ、該ディスクに記録されている情報
を光ピックアップで読み取り、トレイオープン時に、トラバースシャーシを下動させて傾
斜姿勢にすることによりターンテーブルからトレイにディスクを移し替え、タイマー制御
で駆動ピニオンを所定時間だけ正転させて該駆動ピニオンに噛合するトレイラックを介し
てトレイを前進させ、該トレイの各フックを各ストッパに当接させることによりそのトレ
イを最前進位置で停止させるようにしたディスク装置において、前記ローダーシャーシの
前端板に前記支軸と同心状の環状溝が形成され、前記駆動ピニオンとローダーシャーシの
前端板との間に隙間を形成することにより該駆動ピニオンが前記支軸に一定範囲内昇降可
能に外嵌され、その駆動ピニオンを上方に付勢するばねが前記隙間に介在されてその下端
が前記環状溝に嵌入され、前記駆動ピニオン及びトレイラックの歯部がハス歯状に形成さ
れ、その歯部の傾斜角度が３５°〜５５°（好ましくは４０°〜５０°）に設定されてお
り、駆動ピニオンを正転させトレイの各フックを各ストッパに当接させて該トレイを最前
進位置で停止させた状態で、該駆動ピニオンがトレイラックの歯部に沿って正転しながら
降下されてばねを圧縮することを特徴としている。
【００１７】
請求項２に記載お発明は、ディスク載置用トレイがローダーシャーシに前後進可能に配
置され、該ローダーシャーシの前端板に立設した支軸に駆動ピニオンが正逆回転可能に外
嵌され、前記トレイの下面に前後進方向に沿って一体突設したトレイラックが前記駆動ピ
ニオンに噛合可能に形成され、ターンテーブルと光ピックアップとを搭載したトラバース
シャーシがローダーシャーシ内に上下動可能に配置され、前記トレイの両側面後端にフッ
クが一体突設されると共に、該各フックに対向してローダーシャーシの前部に一対のスト
ッパが設けられており、プレイモードで、トラバースシャーシを上動させて水平姿勢にす
ることによりターンテーブルでトレイ上のディスクを持ち上げ、そのターンテーブルによ
りディスクを高速回転させ、該ディスクに記録されている情報を光ピックアップで読み取
り、トレイオープン時に、トラバースシャーシを下動させて傾斜姿勢にすることによりタ
ーンテーブルからトレイにディスクを移し替え、タイマー制御で駆動ピニオンを所定時間
だけ正転させて該駆動ピニオンに噛合するトレイラックを介してトレイを前進させ、該ト
レイの各フックを各ストッパに当接させることによりそのトレイを最前進位置で停止させ
るようにしたディスク装置において、前記駆動ピニオンとローダーシャーシの前端板との
間に隙間を形成することにより該駆動ピニオンが前記支軸に一定範囲内昇降可能に外嵌さ
れ、その駆動ピニオンを上方に付勢するばねが前記隙間に介在され、前記駆動ピニオン及
びトレイラックの歯部がハス歯状に形成されており、駆動ピニオンを正転させトレイの各
フックを各ストッパに当接させて該トレイを最前進位置で停止させた状態で、該駆動ピニ
オンがトレイラックの歯部に沿って正転しながら降下されてばねを圧縮することを特徴と
している。
【００１８】
請求項３に記載の発明は、請求項２に記載の発明において、前記駆動ピニオン及びトレ
イラックの歯部の傾斜角度が３５°〜５５°（好ましくは４０°〜５０°）に設定されて
いることを特徴としている。
【００１９】
請求項４に記載の発明は、請求項２または３に記載の発明において、前記ローダーシャ
ーシの前端板に前記支軸と同心状で前記ばねとほぼ同径の環状溝が形成され、該環状溝に
前記ばねの下端を嵌入させていることを特徴としている。
【発明の効果】
【００２０】
請求項１に記載の発明は実施の一形態（図１〜図３参照）に対応するものであって、こ
れによれば、トレイオープン時に、タイマー制御により駆動ピニオンを一定時間だけ正転
させ、トレイの各フックを各ストッパに当接させて該トレイを最前進位置で停止させた後
、わずかの時間であるが継続される駆動ピニオンの駆動により、該駆動ピニオンがトレイ
ラックの歯部に沿って正転しながら降下されてばねを圧縮するようになっており、ハス歯
による遊び作用とばねによるブレーキ作用との共働作用によって、従来であればトレイオ
ープン毎に各ストッパに繰り返しかかる衝撃を緩和することができる。このため、不快な
衝突音が発生せず、しかも、各ストッパの根元部が従来のように過負荷で損傷されること
もなくなり、トレイを最前進位置で所定通りに停止させることができ、駆動ピニオンのボ
ス部などの駆動伝達系部品が従来のように過負荷で損傷されることもない。
【００２１】
ここで、駆動ピニオン及びトレイラックの歯部の傾斜角度が３５°未満の場合には、駆
動ピニオンからトレイラックへの駆動力の伝達を円滑に行うことが困難になる。また、そ
の傾斜角度が５５°を超える場合には、従来の平歯車状の歯部を備えた駆動ピニオン及び
トレイラックに近似することになり、ハス歯による遊び作用が小さくなって、ばねによる
ブレーキ作用を効果的に発揮させることができない。
【００２２】
そこで、本願発明では、駆動ピニオン及びトレイラックの歯部の傾斜角度が３５°〜５
５°（好ましくは４０°〜５０°）に設定されており、これによって、駆動ピニオンから
トレイラックへの駆動力の伝達を円滑且つ確実に行うことができると共に、ハス歯による
遊び作用とばねによるブレーキ作用との共働作用によって、トレイを最前進位置で停止さ
せたときの衝撃を効果的に緩和することができる。
【００２３】
更に、ローダーシャーシの前端板に形成した環状溝にばねの下端を嵌入させることによ
り、該ばねを支軸とほぼ同心状に位置決めすることができるから、支軸に外嵌する駆動ピ
ニオンを傾かないようにほぼ均等に押し上げ、その駆動ピニオンを支軸に沿って円滑に昇
降させることができる。
【００２４】
請求項２に記載の発明は基本形態に対応するものであって、これによれば、トレイオー
プン時に、タイマー制御により駆動ピニオンを一定時間だけ正転させ、トレイの各フック
を各ストッパに当接させて該トレイを最前進位置で停止させた後、わずかの時間であるが
継続される駆動ピニオンの駆動により、該駆動ピニオンがトレイラックの歯部に沿って正
転しながら降下されてばねを圧縮するようになっており、ハス歯による遊び作用とばねに
よるブレーキ作用との共働作用によって、従来であればトレイオープン毎に各ストッパに
繰り返しかかる衝撃を緩和することができる。このため、不快な衝突音が発生せず、しか
も、各ストッパの根元部が従来のように過負荷で損傷されることもなくなり、トレイを最
前進位置で所定通りに停止させることができ、駆動ピニオンのボス部などの駆動伝達系部
品が従来のように過負荷で損傷されることもない。
【００２５】
請求項３に記載の発明において、駆動ピニオン及びトレイラックの歯部の傾斜角度が３
５°未満の場合には、駆動ピニオンからトレイラックへの駆動力の伝達を円滑に行うこと
が困難になる。また、その傾斜角度が５５°を超える場合には、従来の平歯車状の歯部を
備えた駆動ピニオン及びトレイラックに近似することになり、ハス歯による遊び作用が小
さくなって、ばねによるブレーキ作用を効果的に発揮させることができない。
【００２６】
そこで、本願発明では、駆動ピニオン及びトレイラックの歯部の傾斜角度が３５°〜５
５°（好ましくは４０°〜５０°）に設定されており、これによって、駆動ピニオンから
トレイラックへの駆動力の伝達を円滑且つ確実に行うことができると共に、ハス歯による
遊び作用とばねによるブレーキ作用との共働作用によって、トレイを最前進位置で停止さ
せたときの衝撃を効果的に緩和することができる。
【００２７】
請求項４に記載の発明によれば、ローダーシャーシの前端板に形成した環状溝にばねの
下端を嵌入させることにより、該ばねを支軸とほぼ同心状に位置決めすることができるか
ら、支軸に外嵌する駆動ピニオンを傾かないようにほぼ均等に押し上げ、その駆動ピニオ
ンを支軸に沿って円滑に昇降させることができる。
【発明を実施するための最良の形態】
【００２８】
図１〜図３は本発明の実施の一形態であるディスク装置を示すものであり、これはＤＶ
Ｄプレーヤであって、図１（ａ）は同要部の拡大横断面図、図１（ｂ）はＡ−Ａ矢視図、
図２は同要部の分解斜視図、図３（ａ）は同動作状態を示す概略側面図、図３（ｂ）は同
動作原理を示す説明図である。
【００２９】
図１及び図２に示すように、ローダーシャーシ２の前端板２ａに支軸３と同心状の環状
溝３５が形成され、駆動ピニオン４とローダーシャーシ２の前端板２ａとの間に隙間αを
形成することにより該駆動ピニオン４が支軸３に一定範囲内昇降可能に外嵌され、その駆
動ピニオン４を上方に付勢するばね３６が前記隙間αに介在されてその下端が前記環状溝
３５に嵌入され、前記駆動ピニオン４及びトレイラック５の歯部４ａ，５ａとカムラック
１８の歯部１８ａとがハス歯状に形成されている。上記以外の構成は図４〜図８に示す構
成とほぼ同じであるから、同一部分に同一符号を付してその説明を省略する。
【００３０】
トレイオープン時には、従来と同様の操作が行われ、トラバースシャーシ１０を下動ｆ
させて傾斜姿勢（図５仮想線参照）にした後、駆動ピニオン４の正転ｃによりトレイラッ
ク５を介してトレイ１を前進ａさせ、該トレイ１の各フック２６を各ストッパ２７に当接
させることにより、そのトレイ１を最前進ａ位置で停止させた状態で、図３（ａ）に仮想
線で示すように、駆動ピニオン４がトレイラック５の歯部５ａに沿って回転しながら降下
されてばね３６を圧縮する。
【００３１】
上記構成によれば、トレイオープン時に、タイマー制御により駆動ピニオン４を一定時
間（例えば２〜５秒）だけ正転ｃさせ、トレイ１の各フック２６を各ストッパ２７に当接
させて該トレイ１を最前進ａ位置で停止させた後、わずかの時間（例えば０．１〜０．５
秒）であるが継続される駆動ピニオン４の駆動により、該駆動ピニオン４がトレイラック
５の歯部５ａに沿って正転ｃしながら降下されてばね３６を圧縮するようになっており、
ハス歯による遊び作用とばね３６によるブレーキ作用との共働作用によって、従来であれ
ばトレイオープン毎に各ストッパ２７に繰り返しかかる衝撃を緩和することができる。こ
のため、不快な衝突音が発生せず、しかも、各ストッパ２７の根元部が従来のように過負
荷で損傷されることもなくなり、トレイ１を最前進ａ位置で所定通りに停止させることが
でき、駆動ピニオン４のボス部４ｂなどの駆動伝達系部品が従来のように過負荷で損傷さ
れることもない。
【００３２】
また、ローダーシャーシ２の前端板２ａに形成した環状溝３５にばね３６の下端を嵌入
させることにより、該ばね３６を支軸３とほぼ同心状に位置決めすることができるから、
支軸３に外嵌する駆動ピニオン４を傾かないようにほぼ均等に押し上げ、その駆動ピニオ
ン４を支軸３に沿って円滑に昇降させることができる。
【００３３】
図３（ａ）に示すように、駆動ピニオン４及びトレイラック５の歯部４ａ，５ａの傾斜
角度βが３５°未満の場合には、駆動ピニオン４からトレイラック５への駆動力の伝達を
円滑に行うことが困難になる。また、その傾斜角度βが５５°を超える場合には、従来の
平歯車状の歯部４ａ，５ａを備えた駆動ピニオン４及びトレイラック５に近似することに
なり（図７及び図８参照）、ハス歯による遊び作用が小さくなって、ばね３６によるブレ
ーキ作用を効果的に発揮させることができない。
【００３４】
そこで、本実施の形態では、駆動ピニオン４及びトレイラック５の歯部４ａ，５ａの傾
斜角度βが３５°〜５５°（好ましくは４０°〜５０°）に設定され、図面では、傾斜角
度βを４５°に設定している。
【００３５】
図３（ｂ）は傾斜角度βを４５°に設定した場合の動作原理を示しており、駆動ピニオ
ン４がトレイラック５の歯部５ａに沿って周方向にある距離Ｌ１（例えば１ｍｍ）だけ正
転ｃすると、その距離Ｌ１と同じ距離Ｌ２（例えば１ｍｍ）だけ駆動ピニオン４が降下さ
れてばね３６を圧縮する。
【００３６】
上記構成によれば、駆動ピニオン４及びトレイラック５の歯部４ａ，５ａの傾斜角度β
が３５°〜５５°（好ましくは４０°〜５０°）に設定されているので、駆動ピニオン４
からトレイラック５への駆動力の伝達を円滑且つ確実に行うことができると共に、ハス歯
による遊び作用とばね３６によるブレーキ作用との共働作用によって、トレイ１を最前進
ａ位置で停止させたときの衝撃を効果的に緩和することができる。
【図面の簡単な説明】
【００３７】
【図１】（ａ）は本発明の実施の一形態であるディスク装置を示す要部の拡大横断面図、（ｂ）はＡ−Ａ矢視図である。
【図２】同要部の分解斜視図である。
【図３】（ａ）は同動作状態を示す概略側面図、（ｂ）は同動作原理を示す説明図である。
【図４】ディスク装置のプレイモードにおける平面図である。
【図５】同縦断面図である。
【図６】同トレイオープン時の平面図である。
【図７】（ａ）は従来例を示す要部の拡大横断面図、（ｂ）はＢ−Ｂ矢視図である。
【図８】同要部の分解斜視図である。
【符号の説明】
【００３８】
１            トレイ
２            ローダーシャーシ
２ａ          ローダーシャーシの前端板
３            支軸
４            駆動ピニオン
４ａ          駆動ピニオンの歯部
５            トレイラック
５ａ          トレイラックの歯部
１０          トラバースシャーシ
２２          ターンテーブル
２４          光ピックアップ
２６          フック
２７          ストッパ
３５          環状溝
３６          ばね
α            隙間
β            歯部の傾斜角度
Ｄ            ディスク
ａ，ｂ        前後進
ｃ，ｄ        正逆回転
【図１】
2008181605.tif 000003
【図２】
2008181605.tif 000004
【図３】
2008181605.tif 000005
【図４】
2008181605.tif 000006
【図５】
2008181605.tif 000007
【図６】
2008181605.tif 000008
【図７】
2008181605.tif 000009
【図８】
2008181605.tif 000010